(57)【要約】【課題】 一人の介助者でも簡単に利用者の身体を移乗台装置と車輌等の座席との間で乗降させることができる移乗台装置を提供する。【解決手段】 利用者の身体を座椅子に座らせた状態で移動させ、車輌等の座席と前記座椅子との間で前記利用者の身体を乗降させる移乗台装置において、車輌等の下部に挿入が可能であるとともに移動自在な下部基台と、前記車輌等の座席と干渉しない空間を介して前記下部基台の上方に配置された先細状の上部基台と、前記上部基台の先端に設けられた座椅子を有する。【選択図】 図１
2011115558.tif 000002
【特許請求の範囲】
【請求項１】
利用者の身体を前向きに座椅子に座らせた状態で移動させ、車輌等の座席と前記座椅子との間で前記利用者の身体を乗降させる移乗台装置において、
車輌等の下部に挿入が可能であるとともに移動自在な先細状の下部基台と、
前記車輌等の座席と干渉しない空間を介して前記下部基台の上方に配置された先細状の上部基台と、
前記上部基台の先端に回転自在に設けられた座椅子と、
を有することを特徴とする移乗台装置。
【請求項２】
前記上部基台の高さ位置を調整する高さ調整手段を設けたことを特徴とする請求項１に記載の移乗台装置。
【請求項３】
前記下部基台から外方に張り出すとともに前記下部基台に対して接近方向及び離間方向に回動するアームと、このアームに設けられた車輪と、
前記アームを前記下部基台から離間する方向に常時付勢する付勢手段とを有すること
を特徴とする請求項１又は２に記載の移乗台装置。
【請求項４】
前記座椅子に、利用者が把持して姿勢を維持するハンドルを着脱自在に設けたことを特徴とする請求項１〜３のいずれかに記載の移乗台装置。
【発明の詳細な説明】
【技術分野】
【０００１】
本発明は、老人や傷病者，身体障害者等の利用者を座椅子に座らせた状態で移動させることができ、かつ、座椅子と車輌等の座席との間で利用者を容易に乗降させることができる移乗台装置に関する。
【背景技術】
【０００２】
老人や傷病者，身体障害者等（以下、この明細書において「利用者」と記載する）が病院等に移動する際には、タクシー等の車輌（以下車両等という）に乗降する必要がある。しかし、従来の車椅子から車輌等に利用者を乗車させる際には、介助者が利用者の身体を車椅子から抱き上げつつ車輌等の座席まで移動させなければならず、降車の際には、上記と逆の作業を行う必要がある。そのため、介助者の負担が極めて大きく、利用者の身体が大きかったり、介助者の力が弱かったりすると、複数の介助者で移乗を行なわなければならないのが現状である。そこで、このような問題を解決して介助者の負担を軽減するべく、従来より種々の移乗台装置が考案されている（特許文献１〜７参照）。
【先行技術文献】
【特許文献】
【０００３】
【特許文献１】特許第４２３２１８１号公報
【特許文献２】特開２００６−２３１０１５号公報
【特許文献３】特開２００６−２３１０１５
【特許文献４】特開平１１−２３５３６０
【特許文献５】特開２００２−６５７４８
【特許文献６】特開２０００−３２５４０１
【特許文献７】特開２００１−２９３９４
【発明の開示】
【発明が解決しようとする課題】
【０００４】
しかし、上記従来の車椅子等の移乗台装置は、ドアを開けた状態で移乗台装置を座席の近くまで押し込むことができず、移乗台装置とドアとの隙間も狭いことから、利用者が乗降しにくいという問題が依然として解決されていない。本発明はこのような問題点を解決するためになされたものである。
【課題を解決するための手段】
【０００５】
上記課題を解決するために、請求項１に記載の発明は、利用者の身体を前向きに座椅子に座らせた状態で移動させ、車輌等の座席と前記座椅子との間で前記利用者の身体を乗降させる移乗台装置において、車輌等の下部に挿入が可能であるとともに移動自在な先細状の下部基台と、前記車輌等の座席と干渉しない空間を介して前記下部基台の上方に配置された先細状の上部基台と、前記上部基台の先端に回転自在に設けられた座椅子とを有する構成としてある。
【０００６】
この構成によれば、利用者を座椅子から車輌等の座席に移乗させる際には、車輌等の斜め後方から、移乗台装置を座席に向けて移動させる。そして、下部基台を車輌等の車体の下に挿入する。下部基台と上部基台との間には空間が形成されていて、かつ、上部基台は先細状に形成されているので、座椅子が設けられた上部基台の先端部分を、開放したドアの奥まで差し込んで座席の真上位置に位置させることができる。この状態で、利用者が軽く腰を浮かせるか、介助者が利用者の腰を少し押して利用者の身体を座椅子から座席に向けてスライドさせることで、利用者の身体が座椅子から座席に移乗される。座席から座椅子への移乗は上記の逆の手順で行う。
【０００７】
請求項２に記載するように、前記上部基台の高さ位置を調整する高さ調整手段を設けることで、普通車やワゴン車，軽車両といった車輌等の種類の違いにともなう座席の高さ位置に合わせて、座椅子の高さ位置を調整することが可能になる。
【０００８】
また、座椅子に座らせた状態で利用者を移動させる際に、移乗台装置が容易に転倒しないように補助車を設けてもよい。この場合は、請求項４に記載するように、前記下部基台から外方に張り出すとともに前記下部基台に対して接近方向及び離間方向に回動するアームと、このアームに設けられた車輪と、前記アームを前記下部基台から離間する方向に常時付勢する付勢手段とを有する構成とするとよい。
【０００９】
この構成によれば、移動の際にはアームが張り出して移乗台装置の転倒を防止するが、移乗を行う際にアームが車輌等のタイヤに当接すると、アームが下部基台側に格納され、移乗台装置を座席の近傍まで移動させる際に邪魔にならないようにする。
また、請求項４に記載するように、前記座椅子に、利用者が把持して姿勢を維持するハンドルを着脱自在に設けてもよい。
【発明の効果】
【００１０】
本発明によれば、一人の介助者でも簡単に利用者の身体を移乗装置と車輌等の座席との間で乗降させることができ、介助者の負担を大幅に軽減するとともに、乗降を短時間で終わらせることができる。
また、本発明の移乗装置は、簡単な構成であるので、安価なコストで製造することが可能である。
【発明を実施するための最良の形態】
【００１１】
以下、本発明の好適な実施形態を、図面を参照しつつ詳細に説明する。
［第一の実施形態］
図１は、本発明の移乗台装置の第一の実施形態にかかり、その全体構成を説明する斜視図である。
図１に示すように、この実施形態の移乗台装置１は、三角フレームから構成される下部基台１１と、この下部基台１１の三つの頂部に配置されて下部基台１１に取り付けられたキャスタ１２と、下部基台１１の先端近傍に設けられ、利用者の足を載せる足置き板１３と、空間１７を介して下部基台１１の上方に配置され、下部基台１１と同様の三角フレームから構成された上部基台１４と、上部基台１４の先端に設けられ、利用者が座る座椅子１８とを有している。座椅子１８は、利用者が安定的に座れる範囲内で可能な限り小さいものであるのが好ましく、座椅子１８を含めた上部基台１４が全体として先細状になるのが好ましい。座椅子１８は、図１のように矩形状であってもよいが円形又は楕円形であるのが好ましい。
【００１２】
下部基台１１と上部基台１４とは連結フレーム１６で連結され、連結フレーム１６の上端には、介助者がこの移乗台装置１を移動させる際に把持するハンドル１５が設けられている。符号２０，２１は、上部基台１４の支持を補助するための支持部材である。足置き板１３は、下部基台１１の内側に収納自在に設けられ、利用者が移乗台装置１と車輌等の座席との間で乗降する際には、下部基台１１の内側に収納されて移乗の際の邪魔にならないようになっている。
座椅子１８を取り付ける上部基台１４の先端は、下部基台１１の先端よりも後退した位置に設けるのが好ましい。そして、足置き板１３は、上部基台１４の先端と下部基台１１の先端との間に配置する。このようにすることで、膝を閉じた状態で利用者を座椅子１８に座させることができ、利用者の身体の幅を最小にして、車輌等の座席のより奥の方まで利用者の身体を入れることができる。
【００１３】
また、座椅子１８は上部基台１４の先端に回転自在に取り付けられていて、乗降の際に利用者の身体の向きを容易に変更できるようになっている。下部基台１１の高さ（地上高）は、車輌等の車体の下にもぐり込ませることができる高さとし、車輌等の最低地上高よりも若干低いものであるのが好ましい。
また、座椅子１８には、着脱自在にハンドル３を設けてもよい。このハンドル３は、利用者を座椅子１８に座らせる際には取り外しておき、利用者を座椅子１８に座らせた後、利用者の両足の間にその先端を差し込んで座椅子１８に取り付けるようにする。利用者は、このハンドル３を両手で把持することにより、移動の際に身体の姿勢を安定的に保つことができる。移乗の際には、ハンドル３を座椅子１８から引き抜いて取り外せば、邪魔にならない。
【００１４】
上部基台１４の高さは、車輌等における座席の座面の高さよりも僅かに高いものであるとよく、利用者を乗せた状態で移乗台装置１を車輌等に横付けする際に、上部基台１４の下面が前記座面に僅かに接触する程度であるのがよい。特に図示はしないが、前記座席の座面の高さは車種によって異なることから、連結フレーム１６に対して上部基台１４の高さ位置を調整できるように設けてもよい。また、利用者を移乗させる際に、移乗台装置１が動かないように、一般的な車椅子や手押し車に用いられているようなブレーキを設けるとよい。
【００１５】
空間１７は、利用者を乗せた状態で移乗台装置１を車輌等に横付けする際に、移乗台装置１の構成部材が車輌等の座席や車体と干渉しないように確保されるもので、この空間１７を設けることで、座椅子１８を車輌等の車内の十分奥まで挿入することができ、利用者が確実に座椅子１８から座席に乗り移れるようにする。
空間１７の広さを十分に確保するためには、少なくとも支持部材２０は設けないのが好ましく、そのために、連結フレーム１６の剛性を十分高くして、連結フレーム１６だけで上部基台１４を支持できるようにするのが好ましい。
なお、上記構成の移乗台装置１は、座椅子１８を上部基台１４に対して着脱自在としたり、上部基台１４及び連結フレーム１６を下部基台１１に対して折り畳み自在としたり、上部基台１４，連結フレーム１６及び下部基台１１を分解可能としたりすることで、コンパクトに収納することが可能になり、車輌等で持ち運びすることが容易になる。
【００１６】
上記構成の移乗台装置１の作用を、図２を参照しつつ説明する。
以下の説明では、車輌Ｖは一般的なタクシー等の普通車輌とし、前後に二列ある座席Ｖ１，Ｖ２のうちの後部座席Ｖ２に利用者Ｐを移乗させるものとして説明する。
図２（ａ）に示すように、利用者Ｐを移乗台装置１の座椅子１８に座らせた状態で、介助者Ｓが移乗台装置１を押して、開いた後部ドアＶ４と車体との間に移乗台装置１を移動させる。
【００１７】
上下の基台１１，１４は三角形状に形成されているので、タイヤＶ３や後部ドアＶ４と干渉しにくく、また、下部基台１１は車輌Ｖの車高より低く、かつ、上下の基台１１，１４の間の空間１７（図１参照）を介して上部基台１４は後部座席Ｖ４よりも僅かに高い位置にあるので、図２（ｂ）に示すように、移乗台装置１を最も奥まで押し込むことができ、座椅子１８に座った利用者Ｐの腰部を後部座席Ｖ２の上に位置させることができる。
【００１８】
なお、図２（ａ）〜図２（ｂ）に移行する過程で、利用者Ｐの身体を座椅子１８とともに少しずつ回転させて、利用者Ｐの身体を乗車姿勢に変更する。利用者Ｐの身体が後部座席Ｖ２の上に位置したら、利用者Ｐ自身が軽く腰を浮かして自身の身体を後部座席Ｖ２上に移動させるか、介助者Ｓが利用者Ｐの身体を軽く押すか引っ張るかして、利用者Ｐの身体を座椅子１８の上から後部座席Ｖ２上にスライドさせればよい。
以上で、移乗台装置１から車輌Ｖの後部座席Ｖ２への移乗が完了する。後部座席Ｖ２から移乗台装置１への移乗は、上記の手順を逆に行えばよい。なお、図４〜図７に本発明の移乗台装置を用いた乗降の様子を写真で示す。
【００１９】
［第二の実施形態］
次に、本発明の第二の実施形態を、図３を参照しつつ説明する。
図３は、本発明の第二の実施形態にかかり、下部基台の主要部を示した平面図である。なお、先の実施形態と同一部位、同一部材には同一の符号を付して、先の実施形態の説明を援用するものとする。
この実施形態では、下部基台１１から外方に張り出すアーム２５が左右両側に設けられ、このアーム２５の先端にキャスタ２６が取り付けられている。アーム２５は、下部基台１１に軸２５ａによって回動自在に取り付けられる。アーム２５は、この軸２５ａを中心に、キャスタ２６を下部基台１１に接近させる方向及び離間させる方向に回動自在である。
【００２０】
また、アーム２５は、下部基台１１又はアーム２５に設けられたストッパ２８によって、キャスタ２６が下部基台１１から離間した位置で位置決め停止されるようになっているとともに、下部基台１１とアーム２５とを連結するバネ２７の作用により、キャスタ２６が下部基台１１から離間させる方向に常時付勢されている。
【００２１】
この実施形態の移乗台装置１では、下部基台１１から外方に張り出すアーム２５とキャスタ２６とで移乗台装置１を転倒しにくくすることができる。
また、移乗台装置１を車輌等に接近させる際に、車輌等の車輪に張り出したアーム２５が当接すると、移乗台装置１の移動に合わせてアーム２５及びキャスタ２６が下部基台１１側（図３の矢印Ｉ方向：移動後のアーム２５及びキャスタ２６を仮想線で示す）に移動するので、利用者の移乗の際にアーム２５及びキャスタ２６が邪魔になることがない。
なお、この実施形態における移乗台装置１と車輌Ｖとの間の利用者Ｐの移乗動作は、先の実施形態と同じである。
【００２２】
本発明の好適な実施形態を説明したが、本発明は上記の説明に限定されない。例えば、上記の説明で上部基台１４及び下部基台１１は三角形状として説明したが、開いた後部ドアＶ４の奥まで上部基台１４の先端を差し込むことができるのであれば、三角形状に限らず楕円先細状でもよいし、連結フレーム１６からまっすぐに伸びる棒状のものでもよい。また、下部基台１１は三角形状に限らず楕円先細状でもよい。車輌のタイヤ等に干渉しないのであれば、先細でなくてもよく例えば矩形状であってもよい。
【図面の簡単な説明】
【００２３】
【図１】本発明の移乗装置の第一の実施形態にかかり、その全体構成を説明する斜視図である。
【図２】移乗装置の作用を説明する図である。
【図３】本発明の第二の実施形態にかかり、下部基台の主要部を示した平面図である。
【図４】本発明の作用を説明する写真である。
【図５】本発明の作用を説明する写真である。
【図６】本発明の作用を説明する写真である。
【図７】本発明の作用を説明する写真である。
【図８】本発明の作用を説明する写真である。
【図９】本発明の作用を説明する写真である。
【符号の説明】
【００２４】
１        移乗台装置
１１      下部基台
１２      キャスタ
１３      足置き台
１４      上部基台
１５      ハンドル
１６      連結フレーム
１７      空間
１８      座椅子
２０，２１      支持部材
２５      アーム
２６      キャスタ
２７      ばね（付勢手段）
２８      ストッパ
３        ハンドル
【図１】
2011115558.tif 000003
【図２】
2011115558.tif 000004
【図３】
2011115558.tif 000005
【図４】
2011115558.tif 000006
【図５】
2011115558.tif 000007
【図６】
2011115558.tif 000008
【図７】
2011115558.tif 000009
【図８】
2011115558.tif 000010
【図９】
2011115558.tif 000011